(57)【要約】【課題】信号のレベルを低下させることなくジッタを低減させるジッタ低減回路およびこれを用いた信号伝送装置を提供する。【解決手段】ジッタ低減回路１０は、入力した信号の信号成分を通過させる第１帯域フィルタ１２と、前記第１帯域フィルタ１２から出力された前記信号を増幅する増幅器１４と、前記第１帯域フィルタ１２よりも広い通過帯域幅を有し、前記増幅器１４から出力された前記信号の信号成分を通過させる第２帯域フィルタ１６とを備えた構成である。【選択図】図１
2007129297.tif 000002
【特許請求の範囲】
【請求項１】
入力した信号の信号成分を通過させる第１帯域フィルタと、
前記第１帯域フィルタから出力された前記信号を増幅する増幅器と、
前記第１帯域フィルタよりも広い通過帯域幅を有し、前記増幅器から出力された前記信号の信号成分を通過させる第２帯域フィルタと、
を備えたことを特徴とするジッタ低減回路。
【請求項２】
前記第１帯域フィルタは狭帯域フィルタであり、前記第２帯域フィルタは広帯域フィルタであることを特徴とする請求項１に記載のジッタ低減回路。
【請求項３】
前記第１帯域フィルタおよび前記第２帯域フィルタは、それぞれＳＡＷフィルタおよび水晶フィルタのいずれか一方を用いたことを特徴とする請求項１または２に記載のジッタ低減回路。
【請求項４】
前記第１帯域フィルタ、前記増幅器および前記第２帯域フィルタは、１つのパッケージに搭載されたことを特徴とする請求項１ないし３のいずれかに記載のジッタ低減回路。
【請求項５】
請求項１ないし４のいずれかに記載のジッタ低減回路を、信号を送信する信号出力部と、前記信号出力部から送信された前記信号を受信する信号入力部とを接続する信号伝送ラインに設けたことを特徴とする信号伝送装置。
【請求項６】
前記ジッタ低減回路は、前記信号伝送ラインにおける前記信号出力部よりも前記信号入力部に近い側に設けられたことを特徴とする請求項５に記載の信号伝送装置。
【発明の詳細な説明】
【技術分野】
【０００１】
本発明は信号に生じるジッタを低減するジッタ低減回路および信号伝送装置に関するものである。
【背景技術】
【０００２】
信号の送信側と受信側を信号伝送ラインで接続した信号伝送装置において、信号伝送ラインを介して送信側から受信側へ信号を送る場合、信号伝送ラインを伝送する信号に外部から雑音が入ることがある。この雑音が信号に入ると、この信号にジッタが生じてしまう。また発振器で発振される基本波成分を、この発振器の出力信号として用いる場合、発振器からは基本波成分に対する高調波成分も出力されてしまう。したがって、この出力信号は、基本波成分の信号と、高調波成分とを含むものとなるので、この高調波成分によってジッタが生じてしまう。このようなことから、従来では、雑音や高調波成分を除去するために、送信側から出力される信号の信号成分を通過させる通過帯域幅を有する帯域フィルタや、信号の基本波成分を通過させる通過帯域幅を有する帯域フィルタを伝送ライン等に設けて、信号に生じるジッタを低減させていた。
【０００３】
なお特許文献１には、水晶フィルタまたはＳＡＷフィルタ（水晶フィルタ等）と、アンプを水晶発振器の後段に設け、水晶発振器の正弦波出力中の高調波成分を水晶フィルタ等で除去して、基本波成分が支配的な正弦波出力とし、パルス変換器からジッタの小さなパルスを出力することが開示されている。
【特許文献１】特開２００２−２１７６８６号公報
【発明の開示】
【発明が解決しようとする課題】
【０００４】
信号伝送ラインや発振器の後段に帯域フィルタ（水晶フィルタやＳＡＷフィルタ）を設けた場合、特にこの帯域フィルタの通過帯域幅が狭い場合は、挿入損失が大きくなるので、この帯域フィルタの後段に増幅器を接続する必要がある。すなわち増幅器によって、帯域フィルタによる損失分を補っている。
【０００５】
ところが帯域フィルタの後段に増幅器を接続すると、帯域フィルタで減衰させた雑音等の不要な周波数成分を増幅器で再度増幅してしまい、この増幅された不要な周波数成分を増幅器の後段に出力してしまう問題があった。このため、この不要な周波数成分によって、増幅器から出力される信号にジッタが生じる問題があった。
本発明は、信号のレベルを低下させることなくジッタを低減させるジッタ低減回路を提供することを目的とする。
また本発明は、このジッタ低減回路を用いた信号伝送装置を提供することを目的とする。
【課題を解決するための手段】
【０００６】
本発明に係るジッタ低減回路は、入力した信号の信号成分を通過させる第１帯域フィルタと、前記第１帯域フィルタから出力された前記信号を増幅する増幅器と、前記第１帯域フィルタよりも広い通過帯域幅を有し、前記増幅器から出力された前記信号の信号成分を通過させる第２帯域フィルタと、を備えたことを特徴としている。第２帯域フィルタは広帯域なので挿入損失が小さい。このため第２帯域フィルタは、増幅器から出力される信号に含まれる高調波成分や雑音レベルを低減することができ、また信号レベルが低下するのを僅かに抑えることができる。よってジッタ低減回路の出力信号にジッタが生じるのを防ぐことができる。
【０００７】
また前記第１帯域フィルタは狭帯域フィルタであり、前記第２帯域フィルタは広帯域フィルタであることを特徴としている。これにより第１帯域フィルタおよび第２帯域フィルタは、必要な周波数の信号のみを通過させることができる。また第２帯域フィルタを広帯域フィルタとしているので、この第２帯域フィルタで信号レベルが減衰するのを抑えることができ、第２帯域フィルタの出力信号をそのままジッタ低減回路の出力信号にすることができる。
【０００８】
また前記第１帯域フィルタおよび前記第２帯域フィルタは、それぞれＳＡＷフィルタおよび水晶フィルタのいずれか一方を用いたことを特徴としている。これにより第１帯域フィルタおよび第２帯域フィルタの周波数温度特性が良くなるので、周囲温度の変化による出力レベルの変化を小さくすることができる。
また前記第１帯域フィルタ、前記増幅器および前記第２帯域フィルタは、１つのパッケージに搭載されたことを特徴としている。これによりジッタ低減回路をモジュールにすることができるので、このジッタ低減回路を様々な装置の伝送回路に容易に実装することができる。
【０００９】
また本発明に係る信号伝送装置は、上述したジッタ低減回路を、信号伝送ラインに設けたことを特徴としている。この場合、前記信号伝送ラインは、信号を送信する信号出力部と、前記信号出力部から送信された前記信号を受信する信号入力部とを接続するものである。これにより信号伝送ラインを伝送する信号に雑音や高調波成分等の不要な周波数成分が含まれていても、ジッタ低減回路で不要な周波数成分を取り除いて信号成分のみの信号にすることができ、ジッタ低減回路から出力される信号にジッタが生じるのを防ぐことができる。
【００１０】
また前記ジッタ低減回路は、前記信号伝送ラインにおける前記信号出力部よりも前記信号入力部に近い側に設けられたことを特徴としている。ジッタ低減回路から信号入力部までの距離が短くなるので、この間を伝送している信号に不要な周波数成分が入るのを防止できる。したがってジッタ低減回路から出力されたジッタの生じていない信号を信号入力部に入力することができる。
【発明を実施するための最良の形態】
【００１１】
以下に、本発明に係るジッタ低減回路および信号伝送装置の最良の実施形態について説明する。まず第１の実施形態について説明する。図１はジッタ低減回路のブロック図である。図２は第１帯域フィルタのフィルタ特性を示す図である。図３は第２帯域フィルタのフィルタ特性を示す図である。
図１に示されるジッタ低減回路１０は、第１帯域フィルタ１２、増幅器１４および第２帯域フィルタ１６をこの順に接続した構成である。第１帯域フィルタ１２は、ジッタ低減回路１０に入力された信号（以下、入力信号という場合がある）に含まれる雑音や高調波成分等の不要な周波数成分を除去し、入力信号の信号成分、すなわち必要な周波数の信号を通過させる通過帯域幅を有している。なお第１帯域フィルタ１２の中心周波数ｆ２は、入力信号の周波数（必要な周波数）ｆ１と同じまたは略同じであればよい。
【００１２】
増幅器１４は、第１帯域フィルタ１２から出力された信号を増幅するものである。第２帯域フィルタ１６は、第１帯域フィルタ１２よりも広い通過帯域幅を有しており、増幅器１４から出力された信号の信号成分を通過させ、この信号に含まれる雑音や高調波成分を除去する構成である。すなわち第２帯域フィルタ１６は、必要な周波数の信号を通過させ、不要な周波数成分を除去するものである。なお第２帯域フィルタ１６の中心周波数ｆ３は、入力信号の周波数（必要な周波数）ｆ１と同じまたは略同じであればよい。
【００１３】
そして第１帯域フィルタ１２および第２帯域フィルタ１６について詳しく説明すると、次のようになっている。第１帯域フィルタ１２は狭帯域フィルタであり、図２に示されるフィルタ特性を有している。この第１帯域フィルタ１２は、弾性表面波（ＳＡＷ）フィルタおよび水晶フィルタのいずれか一方が用いられている。また第２帯域フィルタ１６は広帯域フィルタであり、図３に示されるフィルタ特性を有している。この第２帯域フィルタ１６は、ＳＡＷフィルタおよび水晶フィルタのいずれか一方が用いられている。そして第２帯域フィルタ１６は広帯域フィルタなので、挿入損失が小さくなっている。第１帯域フィルタ１２および第２帯域フィルタ１６として、それぞれＳＡＷフィルタおよび水晶フィルタのいずれか一方を用いているので、各帯域フィルタ１２，１６の周波数温度特性を向上させることができる。
【００１４】
ここで水晶フィルタは、水晶板上に入出力電極を設けた構成である。またＳＡＷフィルタは、入出力電極となるすだれ状電極等を圧電基板上に設けた構成である。そしてＳＡＷフィルタの圧電基板には、水晶やタンタル酸リチウム、ニオブ酸リチウム、酸化亜鉛等が用いられる。第２帯域フィルタ１６（広帯域ＳＡＷフィルタ）に用いられる圧電基板の電気機械結合係数を、第１帯域フィルタ１２（狭帯域ＳＡＷフィルタ）に用いられる圧電基板の電気機械結合係数よりも大きくすれば、第２帯域フィルタ１６を第１帯域フィルタ１２に比べて広帯域にすることができる。一例としては、狭帯域ＳＡＷフィルタの圧電基板に水晶を用いた場合は、広帯域ＳＡＷフィルタの圧電基板にタンタル酸リチウムやニオブ酸リチウム、酸化亜鉛を用いればよい。
このような第１帯域フィルタ１２、増幅器１４および第２帯域フィルタ１６を１つのパッケージに搭載して、ジッタ低減回路１０を１つのパッケージで形成することができる。
【００１５】
次に、ジッタ低減回路１０の動作について説明する。ジッタ低減回路１０に入力された信号は、まず第１帯域フィルタ１２に入力される。そして第１帯域フィルタ１２は、入力信号に含まれる不要な周波数成分を除去するとともに信号成分を通過させて、増幅器１４に出力する。増幅器１４は、第１帯域フィルタ１２から出力された信号を増幅するが、この信号を増幅するときに第１帯域フィルタ１２で減衰させた不要な周波数成分も増幅させてしまう。このため第２帯域フィルタ１６で、増幅器１４から出力された信号に含まれる不要な周波数成分を除去し、信号成分を通過させる。そして第２帯域フィルタ１６は、第１帯域フィルタ１２よりも広い通過帯域幅を有しているフィルタ、すなわち広帯域フィルタなので、信号レベルが低下するのを抑えることができる。
【００１６】
図４はジッタ低減回路の出力特性を示す図である。図４に示されている実線はジッタ低減回路１０の出力特性を示し、破線は第２帯域フィルタ１６のフィルタ特性を示し、一点鎖線は従来技術の出力特性を示している。ここで従来技術の出力特性とは、帯域フィルタと増幅器を接続した従来技術に係る回路の出力特性である。図４に示されるように、ジッタ低減回路１０の出力特性における通過帯域幅は、第１帯域フィルタ１２のフィルタ特性と同じになるので、第２帯域フィルタ１６の通過帯域幅よりも狭くなり、必要な周波数の信号のみを通過させることができる。またジッタ低減回路１０の出力特性における減衰域は、第２帯域フィルタ１６のフィルタ特性と同じ特性になるので、増幅器１４で増幅された不要な周波数成分を除去することができる。
そして第２帯域フィルタ１６から出力される信号はジッタ低減回路１０の出力信号となる。この出力信号は、これに含まれる不要な周波数成分が低減されているが、信号のレベルが低下していない。
【００１７】
このようなジッタ低減回路１０は、増幅器１４の後段に挿入損失が小さく広帯域な第２帯域フィルタ１６を接続しているので、増幅器１４から出力される信号に含まれる高調波成分や雑音レベルを低減することができる。このためジッタの少ない出力信号の波形を得ることができる。また第２帯域フィルタ１６を広帯域フィルタとしているので、信号レベルが下がるのを極めて僅かにすることができる。
【００１８】
また第１帯域フィルタ１２にＳＡＷフィルタまたは水晶フィルタが用いられ、第２帯域フィルタ１６にＳＡＷフィルタまたは水晶フィルタが用いられるので、各帯域フィルタ１２，１６の周波数温度特性が良く、周囲温度の変化による出力レベルの変化を小さくすることができる。
またジッタ低減回路１０は、第１帯域フィルタ１２、増幅器１４および第２帯域フィルタ１６を１つのパッケージに搭載したモジュールにすることができるので、例えば信号伝送装置等の信号伝送ラインに容易に実装することができる。
【００１９】
次に、第２の実施形態について説明する。第１の実施形態で説明したジッタ低減回路は、様々な装置に搭載されることができる。このため第２の実施形態では、ジッタ低減回路を設けた装置の一例について説明する。そしてジッタ低減回路は、例えば、通信に用いられる同期信号を伝送するラインに設けることができる。
【００２０】
図５は信号伝送装置のブロック図である。信号伝送装置２０は、送信側から受信側へデータ信号とタイミングクロック信号を送る同期式の伝送方式である。そして信号伝送装置２０は、各信号の送信側となる信号出力部２２および受信側となる信号入力部２８を有しており、信号伝送ライン３２（３２ａ，３２ｂ）を介して信号出力部２２と信号入力部２８が接続されている。この信号伝送ライン３２は２本設けられており、一方の信号伝送ライン３２ａがデータ信号を伝送し、他方の信号伝送ライン３２ｂがクロック信号を伝送している。なお以下では、データ信号を伝送する信号伝送ライン３２をデータ信号伝送ライン３２ａ、クロック信号を伝送する信号伝送ライン３２をクロック信号伝送ライン３２ｂという。
【００２１】
信号出力部２２は、出力回路２４と発振器２６を有している。発振器２６は、出力回路２４にクロック信号を出力するとともに、クロック信号伝送ライン３２ｂを介して信号入力部２８にクロック信号を出力するものである。出力回路２４は、信号出力部２２に入力されたデータ信号を、クロック信号に同期させて信号入力部２８に出力するものである。
【００２２】
また信号入力部２８は、入力回路３０を有している。この入力回路３０は、データ信号伝送ライン３２ａを介して出力回路２４と接続されるとともに、クロック信号伝送ライン３２ｂを介して発振器２６と接続されている。そして入力回路３０は、発振器２６から入力したクロック信号に基づいて、出力回路２４から入力したデータ信号を読み取るものである。
【００２３】
クロック信号伝送ライン３２ｂには、ジッタ低減回路１０が設けられている。このジッタ低減回路１０は、発振器２６からジッタ低減回路１０まで送られてきたクロック信号に雑音等の不要な周波数成分が入った場合に、この不要な周波数成分を取り除いて出力する。これによりクロック信号にジッタが生じるのを防ぐことができる。また入力回路３０では、ジッタが生じたクロック信号に基づいてデータ信号を読み取ることが少なくなるので、通信エラーを低減することができる。
【００２４】
そしてクロック信号伝送ライン３２ｂにおいて、信号出力部２２に比べて信号入力部２８により近い側にジッタ低減回路１０を設けておけば、ジッタ低減回路１０から信号入力部２８までクロック信号が送られる間に雑音等の不要な周波数成分が新たに入るのを防止できる。これによりジッタ低減回路１０から出力されたクロック信号に不要な周波数成分が入り難くなり、クロック信号にジッタが生じるのを防ぐことができる。また入力回路３０では、ジッタが生じたクロック信号に基づいてデータ信号を読み取ることが少なくなるので、通信エラーを低減することができる。
【図面の簡単な説明】
【００２５】
【図１】ジッタ低減回路のブロック図である。
【図２】第１帯域フィルタのフィルタ特性を示す図である。
【図３】第２帯域フィルタのフィルタ特性を示す図である。
【図４】ジッタ低減回路の出力特性を示す図である。
【図５】信号伝送装置のブロック図である。
【符号の説明】
【００２６】
１０………ジッタ低減回路、１２………第１帯域フィルタ、１４………増幅器、１６………第２帯域フィルタ、２０………信号伝送装置、２２………信号出力部、２８………信号入力部、３２………信号伝送ライン。
【図１】
2007129297.tif 000003
【図２】
2007129297.tif 000004
【図３】
2007129297.tif 000005
【図４】
2007129297.tif 000006
【図５】
2007129297.tif 000007